(57)【要約】【課題】無線ＬＡＮ中継装置間の通信速度を向上させることのできる技術を提供する。【解決手段】複数の無線ＬＡＮ中継装置を含むネットワークシステムは、複数の無線ＬＡＮ中継装置は、マスターとして作動するマスター無線ＬＡＮ中継装置と、マスター無線ＬＡＮ中継装置の指示で動作を行うスレーブとして作動する１台以上のスレーブ無線ＬＡＮ中継装置と、を含み、各無線ＬＡＮ中継装置は、無線通信部と処理部とを備え、各スレーブは、各無線ＬＡＮ中継装置が接続する中継元の選択に使用される無線環境情報をマスターに送信し、マスターは、無線環境情報を用いて、起点とする無線ＬＡＮ中継装置と各無線ＬＡＮ中継装置との間における通信速度を特定し、通信速度に応じて各中継元を選択し、選択した各中継元を各スレーブに通知し、各スレーブを通知した中継元に接続させる。【選択図】図４
2020096240.tif 000002
【特許請求の範囲】
【請求項１】
複数の無線ＬＡＮ中継装置を含むネットワークシステムであって、
前記複数の無線ＬＡＮ中継装置は、マスターとして作動するマスター無線ＬＡＮ中継装置と、前記マスター無線ＬＡＮ中継装置の指示で動作を行うスレーブとして作動する１台以上のスレーブ無線ＬＡＮ中継装置と、を含み、
各前記無線ＬＡＮ中継装置は、無線通信部と処理部とを備え、
各前記スレーブ無線ＬＡＮ中継装置の前記処理部は、前記無線通信部を介して、各前記無線ＬＡＮ中継装置が接続する中継元の選択に使用される無線環境情報を前記マスター無線ＬＡＮ中継装置に送信し、
前記マスター無線ＬＡＮ中継装置の前記処理部は、前記無線環境情報を用いて、起点とする無線ＬＡＮ中継装置と各前記無線ＬＡＮ中継装置との間における通信速度を特定し、前記通信速度に応じて各前記中継元を選択し、前記無線通信部を介して、選択した各前記中継元を各前記スレーブ無線ＬＡＮ中継装置に通知し、各前記スレーブ無線ＬＡＮ中継装置を前記通知した中継元に接続させる、ネットワークシステム。
【請求項２】
請求項１に記載のネットワークシステムであって、
前記マスター無線ＬＡＮ中継装置は、ゲートウェイとの接続に関する接続情報を用いて、前記ネットワークシステムの外部のネットワークと通信を行う無線ＬＡＮ中継装置を前記起点とする無線ＬＡＮ中継装置として特定する、ネットワークシステム。
【請求項３】
請求項１または２に記載のネットワークシステムであって、
前記マスター無線ＬＡＮ中継装置は、各前記無線ＬＡＮ中継装置に前記通信速度を含む速度情報を送信し、
各前記無線ＬＡＮ中継装置は、受信した前記速度情報を発信し、
新たな無線ＬＡＮ中継装置が当該ネットワークシステムに接続する場合に、前記新たな無線ＬＡＮ中継装置の前記処理部は、各前記無線ＬＡＮ中継装置が発信した前記速度情報のうち取得した各前記速度情報を用いて前記起点とする無線ＬＡＮ中継装置と前記新たな無線ＬＡＮ中継装置との間における通信速度を特定し、前記起点とする無線ＬＡＮ中継装置と前記新たな無線ＬＡＮ中継装置との間における通信速度に応じて選択した他の無線ＬＡＮ中継装置に接続する、ネットワークシステム。
【請求項４】
請求項１から３のうちいずれか一項に記載のネットワークシステムであって、
前記マスター無線ＬＡＮ中継装置は、少なくとも新たな無線ＬＡＮ中継装置が当該ネットワークシステムに接続した場合および前記スレーブ無線ＬＡＮ中継装置が当該ネットワークシステムから切断された場合のいずれか一方において、再度、前記通信速度を特定し、前記通信速度に応じて各前記中継元を選択し、前記無線通信部を介して、選択した各前記中継元を各前記スレーブ無線ＬＡＮ中継装置に通知し、各前記スレーブ無線ＬＡＮ中継装置の接続先を前記通知した中継元に変更させる、ネットワークシステム。
【請求項５】
請求項１から４のうちいずれか一項に記載のネットワークシステムであって、
前記無線環境情報は、前記無線ＬＡＮ中継装置の周波数帯域に関する情報を含んでおり、
前記マスター無線ＬＡＮ中継装置の前記処理部は、前記周波数帯域に関する情報を用いて前記通信速度を特定する、ネットワークシステム。
【請求項６】
請求項５に記載のネットワークシステムであって、
前記通信速度は、前記周波数帯域におけるチャンネルの混雑度合いに応じて定められる、ネットワークシステム。
【請求項７】
請求項５または６に記載のネットワークシステムであって、
前記通信速度は、前記周波数帯域が同一であり前記周波数帯域で使用されるチャンネルが同一の無線ＬＡＮ中継装置間と前記周波数帯域が異なる無線ＬＡＮ中継装置間とで異なる計算方法で定められる、ネットワークシステム。
【請求項８】
無線ＬＡＮ中継装置であって、
他の無線ＬＡＮ中継装置から中継元の選択に使用される無線環境情報を取得する無線通信部と、
処理部と、を備え、
前記処理部は、前記無線環境情報を用いて、起点とする無線ＬＡＮ中継装置と前記他の無線ＬＡＮ中継装置との間における通信速度を特定し、前記通信速度に応じて前記他の無線ＬＡＮ中継装置が接続する中継元を選択し、前記無線通信部を介して、選択した前記中継元を前記他の無線ＬＡＮ中継装置に通知し、前記他の無線ＬＡＮ中継装置を前記通知した中継元に接続させる、無線ＬＡＮ中継装置。
【請求項９】
無線ＬＡＮ中継装置であって、
他の無線ＬＡＮ中継装置から起点とする無線ＬＡＮ中継装置と前記他の無線ＬＡＮ中継装置との間における通信速度を含む速度情報を取得する無線通信部と、
処理部と、を備え、
前記処理部は、ネットワークに接続する場合に、前記速度情報を用いて前記起点とする無線ＬＡＮ中継装置と前記無線ＬＡＮ中継装置との間における通信速度を特定し、前記起点とする無線ＬＡＮ中継装置との通信速度に応じて選択した他の無線ＬＡＮ中継装置に接続する、無線ＬＡＮ中継装置。
【請求項１０】
複数の無線ＬＡＮ中継装置を含むネットワークの設定方法であって、
前記複数の無線ＬＡＮ中継装置は、マスターとして作動するマスター無線ＬＡＮ中継装置と、前記マスター無線ＬＡＮ中継装置の指示で動作を行うスレーブとして作動する複数のスレーブ無線ＬＡＮ中継装置と、を含み、
各前記スレーブ無線ＬＡＮ中継装置が、各前記無線ＬＡＮ中継装置が接続する中継元の選択に使用される無線環境情報を前記マスター無線ＬＡＮ中継装置に送信する工程と、
前記マスター無線ＬＡＮ中継装置が前記無線環境情報を用いて、起点とする無線ＬＡＮ中継装置と前記無線ＬＡＮ中継装置との間における通信速度を特定する工程と、
前記マスター無線ＬＡＮ中継装置が前記通信速度に応じて前記無線ＬＡＮ中継装置が接続する中継元を選択する工程と、
前記マスター無線ＬＡＮ中継装置が、各前記スレーブ無線ＬＡＮ中継装置に選択した前記中継元を通知して、各前記スレーブ無線ＬＡＮ中継装置を前記通知した中継元に接続させる工程と、を備える設定方法。
【請求項１１】
無線ＬＡＮ中継装置に備えられたコンピュータが実行するコンピュータプログラムであって、
他の無線ＬＡＮ中継装置から起点とする無線ＬＡＮ中継装置と前記他の無線ＬＡＮ中継装置との間における通信速度を含む速度情報を取得する機能と、
前記速度情報を用いて前記起点とする無線ＬＡＮ中継装置と前記無線ＬＡＮ中継装置との間における通信速度を特定する機能と、
前記起点とする無線ＬＡＮ中継装置との通信速度に応じて選択した他の無線ＬＡＮ中継装置に接続する機能と、をコンピュータに実現させるコンピュータプログラム。
【発明の詳細な説明】
【技術分野】
【０００１】
本発明は、ネットワークシステム、無線ＬＡＮ中継装置、ネットワークの設定方法、および、コンピュータプログラムに関する。
【背景技術】
【０００２】
近年、スマートフォンなどの携帯機器を用いた動画再生サービスや、ＩｏＴ（Ｉｎｔｅｒｎｅｔ  ｏｆ  Ｔｈｉｎｇｓ）機器が増加しており、家庭内でも通信が安定したネットワーク環境が望まれている。そこで、複数の無線ＬＡＮ中継機を備えたネットワーク環境が構築されている。複数の無線ＬＡＮ中継装置を備えたネットワークシステムとして、無線ＬＡＮ中継装置が通信経路を決定するものが知られている。例えば、特許文献１に記載のネットワークシステムでは、各無線ＬＡＮ中継装置間の電波強度に基づいて通信経路を決定する。
【先行技術文献】
【特許文献】
【０００３】
【特許文献１】特開２００１−２５１３１６
【発明の概要】
【発明が解決しようとする課題】
【０００４】
例えば、無線ＬＡＮ中継装置が複数の周波数帯域で通信可能な場合、周波数帯域毎に規格上の伝送速度も異なるため電波強度の弱い周波数帯域の無線ＬＡＮ中継装置に接続した方が、電波強度の強い周波数帯域の無線ＬＡＮ中継装置に接続するよりも、通信速度が速くなる場合があった。また、無線ＬＡＮ中継装置の設置されている場所は配置等の周辺環境によって、電波強度だけでは最適な通信経路が決定できず、十分な通信速度が確保できない可能性があった。そのため、無線ＬＡＮ中継装置間の通信速度を向上させることのできる技術が求められていた。
【課題を解決するための手段】
【０００５】
本発明は、上述の課題を解決するためになされたものであり、以下の形態として実現することが可能である。
【０００６】
（１）本発明の一形態によれば、複数の無線ＬＡＮ中継装置を含むネットワークシステムが提供される。このネットワークシステムにおいて、前記複数の無線ＬＡＮ中継装置は、マスターとして作動するマスター無線ＬＡＮ中継装置と、前記マスター無線ＬＡＮ中継装置の指示で動作を行うスレーブとして作動する１台以上のスレーブ無線ＬＡＮ中継装置と、を含み、各前記無線ＬＡＮ中継装置は、無線通信部と処理部とを備え、各前記スレーブ無線ＬＡＮ中継装置の前記処理部は、前記無線通信部を介して、各前記無線ＬＡＮ中継装置が接続する中継元の選択に使用される無線環境情報を前記マスター無線ＬＡＮ中継装置に送信し、前記マスター無線ＬＡＮ中継装置の前記処理部は、前記無線環境情報を用いて、起点とする無線ＬＡＮ中継装置と各前記無線ＬＡＮ中継装置との間における通信速度を特定し、前記通信速度に応じて各前記中継元を選択し、前記無線通信部を介して、選択した各前記中継元を各前記スレーブ無線ＬＡＮ中継装置に通知し、各前記スレーブ無線ＬＡＮ中継装置を前記通知した中継元に接続させる。この形態のネットワークシステムによれば、通信速度に応じて各前記無線ＬＡＮ中継装置が接続する中継元を選択するため、無線ＬＡＮ中継装置間の通信速度を向上させることができる。
（２）上記形態のネットワークシステムにおいて、前記マスター無線ＬＡＮ中継装置は、ゲートウェイとの接続に関する接続情報を用いて、前記ネットワークシステムの外部のネットワークと通信を行う無線ＬＡＮ中継装置を前記起点とする無線ＬＡＮ中継装置として特定してもよい。この形態のネットワークシステムによれば、ゲートウェイに接続された無線ＬＡＮ中継装置を、起点とする無線ＬＡＮ中継装置として特定するため、外部のネットワークへ通信を行う場合の通信速度を特定できる。
（３）上記形態のネットワークシステムにおいて、前記マスター無線ＬＡＮ中継装置は、各前記無線ＬＡＮ中継装置に前記通信速度を含む速度情報を送信し、各前記無線ＬＡＮ中継装置は、受信した前記速度情報を発信し、新たな無線ＬＡＮ中継装置が当該ネットワークシステムに接続する場合に、前記新たな無線ＬＡＮ中継装置の前記処理部は、各前記無線ＬＡＮ中継装置が発信した前記速度情報のうち取得した各前記速度情報を用いて前記起点とする無線ＬＡＮ中継装置と前記新たな無線ＬＡＮ中継装置との間における通信速度を特定し、前記起点とする無線ＬＡＮ中継装置と前記新たな無線ＬＡＮ中継装置との間における通信速度に応じて選択した他の無線ＬＡＮ中継装置に接続してもよい。この形態のネットワークシステムによれば、新たな無線ＬＡＮ中継装置の中継元を通信速度に応じて選択するため、各無線ＬＡＮ中継装置の通信経路を再度組み直す場合に、中継元を変更する無線ＬＡＮ中継装置の台数を抑制できる。
（４）上記形態のネットワークシステムにおいて、前記マスター無線ＬＡＮ中継装置は、少なくとも新たな無線ＬＡＮ中継装置が当該ネットワークシステムに接続した場合および前記スレーブ無線ＬＡＮ中継装置が当該ネットワークシステムから切断された場合のいずれか一方において、再度、前記通信速度を特定し、前記通信速度に応じて各前記中継元を選択し、前記無線通信部を介して、選択した各前記中継元を各前記スレーブ無線ＬＡＮ中継装置に通知し、各前記スレーブ無線ＬＡＮ中継装置の接続先を前記通知した中継元に変更させてもよい。この形態のネットワークシステムによれば、ネットワークシステムに接続する無線ＬＡＮ中継装置が増減する場合に各無線ＬＡＮ中継装置の中継元を変更させるため、各無線ＬＡＮ中継装置の通信速度を安定させることができる。
（５）上記形態のネットワークシステムにおいて、前記無線環境情報は、前記無線ＬＡＮ中継装置の周波数帯域に関する情報を含んでおり、前記マスター無線ＬＡＮ中継装置の前記処理部は、前記周波数帯域に関する情報を用いて前記通信速度を特定してもよい。この形態のネットワークシステムによれば、周波数帯域を考慮して通信速度を特定できる。
（６）上記形態のネットワークシステムにおいて、前記通信速度は、前記周波数帯域におけるチャンネルの混雑度合いに応じて定められてもよい。この形態のネットワークシステムによれば、より実測値に近い通信速度を特定できる。
（７）上記形態のネットワークシステムにおいて、前記通信速度は、前記周波数帯域が同一であり前記周波数帯域で使用されるチャンネルが同一の無線ＬＡＮ中継装置間と前記周波数帯域が異なる無線ＬＡＮ中継装置間とで異なる計算方法で定められてもよい。この形態のネットワークシステムによれば、より実測値に近い通信速度を特定できる。
（８）本発明の一形態によれば、無線ＬＡＮ中継装置が提供される。無線ＬＡＮ中継装置は、他の無線ＬＡＮ中継装置から中継元の選択に使用される無線環境情報を取得する無線通信部と、処理部と、を備え、前記処理部は、前記無線環境情報を用いて、起点とする無線ＬＡＮ中継装置と前記他の無線ＬＡＮ中継装置との間における通信速度を特定し、前記通信速度に応じて前記他の無線ＬＡＮ中継装置が接続する中継元を選択し、前記無線通信部を介して、選択した前記中継元を前記他の無線ＬＡＮ中継装置に通知し、前記他の無線ＬＡＮ中継装置を前記通知した中継元に接続させる。この形態の無線ＬＡＮ中継装置によれば、通信速度に応じて、中継元を選択するため、無線ＬＡＮ中継装置間の通信速度を向上させることができる。
（９）本発明の一形態によれば、無線ＬＡＮ中継装置が提供される。無線ＬＡＮ中継装置は、他の無線ＬＡＮ中継装置から起点とする無線ＬＡＮ中継装置と前記他の無線ＬＡＮ中継装置との間における通信速度を含む速度情報を取得する無線通信部と、処理部と、を備え、前記処理部は、ネットワークに接続する場合に、前記速度情報を用いて前記起点とする無線ＬＡＮ中継装置と前記無線ＬＡＮ中継装置との間における通信速度を特定し、前記起点とする無線ＬＡＮ中継装置との通信速度に応じて選択した他の無線ＬＡＮ中継装置に接続する、無線ＬＡＮ中継装置。この形態の無線ＬＡＮ中継装置によれば、新たな無線ＬＡＮ中継装置の中継元を通信速度に応じて選択するため、無線ＬＡＮ中継装置間の通信速度を向上させることができる。
なお、本発明は、種々の形態で実現することが可能であり、例えば、無線ＬＡＮ中継装置の制御方法や、複数の無線ＬＡＮ中継装置を含むネットワークの設定方法、これらの方法または装置の機能を実現するためのコンピュータプログラム等の形態で実現することができる。コンピュータプログラムは、コンピュータが読み取り可能な一時的でない有形の記録媒体に記録されていてもよい。
【図面の簡単な説明】
【０００７】
【図１】ネットワークシステム構成の概要を示す説明図である。
【図２】第１無線ＬＡＮ中継装置の機能を示すブロック図である。
【図３】中継元決定機能によって実現される処理の一例を示すシーケンス図である。
【図４】中継元選択処理の一例を示したフローチャートである。
【図５】各周波数帯域における電波強度と通信速度との関係を示したテーブルの一例である。
【図６】通信速度に応じて各中継元を選択していく一例を示した図である。
【図７】図６における各通信経路の通信速度を示した図である。
【図８】通信速度に応じて各中継元を選択していく一例を示した図である。
【図９】図８における各通信経路の通信速度を示した図である。
【図１０】通信速度に応じて各中継元を選択していく一例を示した図である。
【図１１】図１０における各通信経路の通信速度を示した図である。
【図１２】中継元を変更したネットワークシステムの構成の説明図である。
【図１３】第２実施形態におけるネットワークシステム構成の概要を示す説明図である。
【図１４】接続先決定処理の一例を示したフローチャートである。
【発明を実施するための形態】
【０００８】
Ａ．第１実施形態：
図１は、本発明の一実施形態におけるネットワークシステム構成の概要を示す説明図である。本実施形態において、ネットワークシステム１００は、第１無線ＬＡＮ中継装置１０と、第２無線ＬＡＮ中継装置２０と、第３無線ＬＡＮ中継装置３０と、第４無線ＬＡＮ中継装置４０と、を備えるローカルエリアネットワーク（ＬＡＮ）のネットワークシステムである。本実施形態において、無線ＬＡＮ中継装置１０〜４０は、それぞれ無線通信により接続されている。本明細書において、無線ＬＡＮ中継装置をアクセスポイントまたはＡＰとも呼ぶ。
【０００９】
第１無線ＬＡＮ中継装置１０は、ケーブルを介してインターネットＩＮＴに接続されており、ルータとしての機能を有している。第１無線ＬＡＮ中継装置１０とインターネットＩＮＴの間には図示しないゲートウェイ装置が接続されており、第１無線ＬＡＮ中継装置１０は、ゲートウェイ装置を介してインターネットＩＮＴに接続されている。なお、第１無線ＬＡＮ中継装置１０にゲートウェイ装置が内蔵されていてもよい。第２無線ＬＡＮ中継装置２０、第３無線ＬＡＮ中継装置３０および第４無線ＬＡＮ中継装置４０は、それぞれ第１無線ＬＡＮ中継装置１０に直接的に無線接続されており、第１無線ＬＡＮ中継装置１０を介してインターネットＩＮＴに接続されている。各無線ＬＡＮ中継装置１０〜４０には、図示しない無線端末が無線接続される。
【００１０】
本実施形態において、第１無線ＬＡＮ中継装置１０はマスター無線ＬＡＮ中継装置として作動し、第２無線ＬＡＮ中継装置２０、第３無線ＬＡＮ中継装置３０および第４無線ＬＡＮ中継装置４０は、マスター無線ＬＡＮ中継装置の指示で動作を行うスレーブ無線ＬＡＮ中継装置として作動する。本明細書において、マスター無線ＬＡＮ中継装置を単にマスター、スレーブ無線ＬＡＮ中継装置を単にスレーブとも呼ぶ。
【００１１】
図２は、本発明の一実施形態における第１無線ＬＡＮ中継装置１０のブロック図である。第１無線ＬＡＮ中継装置１０は、無線通信部１１０と、処理部１２０と、書き換え可能なＲＯＭ１３０と、有線ポート１４０と、を備える。
【００１２】
無線通信部１１０は、例えば、ＩＥＥＥ８０２．１１規格に基づき、他の装置、例えば無線ＬＡＮ中継装置２０〜４０との間で通信を行う。無線通信部１１０は、無線通信回路とアンテナとを含む。本実施形態において、無線通信部１１０は、複数の周波数帯域を用いて同時に通信可能である。具体的には、無線通信部１１０は、２．４ＧＨｚ周波数帯と５．０ＧＨｚの低周波数帯（例えば、５．２／５．３ＧＨｚ周波数帯）と５．０ＧＨｚの高周波数帯（例えば、５．６ＧＨｚ周波数帯）の３つの周波数帯のうち、少なくとも１つ以上の周波数帯を用いて通信可能である。
【００１３】
処理部１２０は、無線ＬＡＮ中継装置２０〜４０が接続する中継元となる無線ＬＡＮ中継装置１０〜４０を決定する機能（以下、「中継元決定機能」という）を有する。本実施形態において「中継元」とは、ネットワークシステム１００における情報の通信の中継を行う装置であり、各無線ＬＡＮ中継装置がインターネットＩＮＴに接続するために中継する接続先である。また、処理部１２０は、インターネットＩＮＴとＬＡＮ間におけるルーティングを行う機能を有する。処理部１２０は、ＣＰＵとメモリとを備えるコンピュータとして構成されており、ＣＰＵがＲＯＭ１３０に記憶されたコンピュータプログラムとしてのファームウェアをメモリにロードして実行することで、上述した機能が実現される。ファームウェアは、メモリーカードや光ディスクなどのコンピュータが読み取り可能な一時的でない有形の記録媒体に記録されていてもよい。また、これらの各部の機能の一部又は全部をハードウェア回路で実現してもよい。
【００１４】
有線ポート１４０は、ゲートウェイ装置が有線接続されるケーブルが接続されるポートである。他の無線ＬＡＮ中継装置２０〜４０も、図２に示した第１無線ＬＡＮ中継装置１０と同じ構成を有する。ただし、無線ＬＡＮ中継装置２０〜４０は、有線ポート１４０およびルーティング機能を有していなくてもよい。
【００１５】
本実施形態において、スレーブ無線ＬＡＮ中継装置２０〜４０の処理部１２０は、無線通信部１１０を介して、各無線ＬＡＮ中継装置１０〜４０が接続する中継元の選択に使用される無線環境情報をマスター無線ＬＡＮ中継装置１０に送信する。マスター無線ＬＡＮ中継装置１０の処理部１２０は、無線環境情報を用いて、起点とする無線ＬＡＮ中継装置と各無線ＬＡＮ中継装置１０〜４０との間における通信速度を特定する。そして、マスター無線ＬＡＮ中継装置１０の処理部１２０は、特定した通信速度に応じて各中継元を選択し、無線通信部１１０を介して、選択した各中継元を各スレーブ無線ＬＡＮ中継装置２０〜４０に通知し、各スレーブ無線ＬＡＮ中継装置２０〜４０を通知した中継元に接続させる。各処理内容の詳細については後述する。
【００１６】
図３は、処理部１２０によって実行される中継元決定機能によって実現される処理の一例を示すシーケンス図である。図３において、第１無線ＬＡＮ中継装置１０はマスターとして作動し、第２無線ＬＡＮ中継装置２０および第３無線ＬＡＮ中継装置３０はスレーブとして作動する。第４無線ＬＡＮ中継装置４０は省略している。
【００１７】
まず、マスターである第１無線ＬＡＮ中継装置１０が、スレーブである他の無線ＬＡＮ中継装置に対して、無線環境情報の送信要請を定期的に送信する。「無線環境情報」とは、各無線ＬＡＮ中継装置のホップ段数や、周波数帯域に関する情報等を含む情報である。「周波数帯域に関する情報」とは、例えば、現在無線通信で使用している周波数帯域やチャンネル、チャンネルにおける混雑度、受信電波強度（ＲＳＳＩ）、規格上の伝送速度等を含む情報である。
【００１８】
次に、スレーブである第２無線ＬＡＮ中継装置２０は、イベントＥ２００において、ネットワークシステム１００内にある接続可能な各無線ＬＡＮ中継装置が発信するビーコンをスキャンすることでビーコンから無線環境情報の一部を取得し、取得した情報に第２無線ＬＡＮ中継装置２０自身が有する情報（例えば、ホップ段数やＥＳＳＩＤ名等）を加えた無線環境情報をマスターである第１無線ＬＡＮ中継装置１０に送信する。同様に、スレーブである第３無線ＬＡＮ中継装置３０は、イベントＥ２０５において、ネットワークシステム１００内にある接続可能な各無線ＬＡＮ中継装置が発信するビーコンをスキャンすることでビーコンから無線環境情報の一部を取得し、取得した情報に第３無線ＬＡＮ中継装置３０自身が有する情報を加えた無線環境情報をマスターである第１無線ＬＡＮ中継装置１０に送信する。本実施形態において、「発信」とは、非特定の他の装置に、情報を直接伝送することであり、「送信」とは、指定した他の装置に、情報を直接または別の装置を介して間接的に伝送することである。
【００１９】
続いて、第１無線ＬＡＮ中継装置１０は、イベントＥ２１０において、受信した無線環境情報を用いて、起点とする無線ＬＡＮ中継装置と各無線ＬＡＮ中継装置との間における通信速度を特定し、ネットワークシステム１００全体としてスループットが早くなるよう、各無線ＬＡＮ中継装置の各中継元を選択する。中継元選択処理の詳細については後述する。
【００２０】
続いて、第１無線ＬＡＮ中継装置１０は、イベントＥ２１０において選択した各無線ＬＡＮ中継装置の中継元を通知する。より具体的には、選択した各中継元の情報を含む中継元情報をスレーブである他の無線ＬＡＮ中継装置２０、３０に送信する。第２無線ＬＡＮ中継装置２０および第３無線ＬＡＮ中継装置３０は、中継元情報を受信した後、受信が完了したことを第１無線ＬＡＮ中継装置１０に送信する。マスターである第１無線ＬＡＮ中継装置１０は、スレーブである他の無線ＬＡＮ中継装置２０、３０から受信完了したことを受信した後、スレーブである他の無線ＬＡＮ中継装置２０、３０に中継元変更を行う指示をする。第２無線ＬＡＮ中継装置２０は、イベントＥ２２０において中継元を変更する。イベントＥ２２０では、例えば、図１に示した第２無線ＬＡＮ中継装置２０の中継元が第１無線ＬＡＮ中継装置１０から第３無線ＬＡＮ中継装置３０に変更される。第３無線ＬＡＮ中継装置３０は、イベントＥ２２５において、受信した中継元情報における新たな中継元が、現在の中継元と同一の無線ＬＡＮ中継装置であるため、中継元を変更しない。なお、マスター無線ＬＡＮ中継装置は、中継元選択処理において選択したある無線ＬＡＮ中継装置の中継元が以前の中継元と同一である場合、中継元情報をその無線ＬＡＮ中継装置に送信することを省略してもよい。
【００２１】
図４は、中継元選択処理の一例を示したフローチャートである。この処理は、マスターである第１無線ＬＡＮ中継装置１０の処理部１２０によって行われる処理である。まず、第１無線ＬＡＮ中継装置１０は、ステップＳ１００において、スレーブである他の無線ＬＡＮ中継装置２０、３０、４０から送信された無線環境情報を取得する。
【００２２】
次に、第１無線ＬＡＮ中継装置１０は、ステップＳ１１０において、ステップＳ１００で取得した各無線環境情報を用いて、起点とする無線ＬＡＮ中継装置と各無線ＬＡＮ中継装置との間における通信速度を特定する。本実施形態において、「起点とする無線ＬＡＮ中継装置」は、ネットワークシステム１００の外部のネットワークと通信を行う無線ＬＡＮ中継装置であり、第１無線ＬＡＮ中継装置１０である。本明細書において、起点とする無線ＬＡＮ中継装置を起点装置とも呼ぶ。マスターは、ゲートウェイとの接続に関する接続情報を用いて、（１）ゲートウェイに有線接続されており、ブリッジとして動作している無線ＬＡＮ中継装置、または、（２）ネットワークシステム１００の外部のネットワークに接続されており、ゲートウェイ機能が実装されており、ルータとして動作している無線ＬＡＮ中継装置、または、（３）ネットワークシステム１００の外部のネットワークに接続されており、ゲートウェイ機能が実装されており、デフォルトゲートウェイのＩＰアドレスを持つ無線ＬＡＮ中継装置、を起点装置として特定する。「接続情報」とは、例えば、ゲートウェイ装置と有線で接続しているか否かや、ルータとして動作しているか否か、デフォルトゲートウェイのＩＰアドレス等を含む情報である。接続情報は、無線環境情報に含まれていてもよい。「起点とする無線ＬＡＮ中継装置と無線ＬＡＮ中継装置との間における通信速度」は、無線ＬＡＮ中継装置が直接起点とする無線ＬＡＮ中継装置と通信を行う場合の通信速度だけでなく、他の無線ＬＡＮ中継装置を介して起点とする無線ＬＡＮ中継装置と通信を行う場合の通信速度も含む。
【００２３】
図５は、各周波数帯域における電波強度と通信速度との関係を示したテーブルの一例である。図５に示すテーブルは、予めＲＯＭ１３０に記憶されている。本実施形態において、第１無線ＬＡＮ中継装置１０は、ステップＳ１１０（図４）において、無線環境情報に含まれる周波数帯域に関する情報である、各無線ＬＡＮ中継装置が現在使用している周波数帯域と受信電波強度とを用いて、図５に示すテーブルを参照し、起点とする無線ＬＡＮ中継装置と各無線ＬＡＮ中継装置との間の通信速度を特定する。図５に示すテーブルには、通信速度が、電波強度が強いほど速くなるよう設定されている。また、このテーブルには、通信速度が、周波数帯域が２．４ＧＨｚ、５．０ＧＨｚの低周波数、５．０ＧＨｚの高周波数の順で速くなるよう設定されている。実際の通信速度は、ＩＥＥＥ８０２．１１の通信規格の違いや、無線ＬＡＮ中継装置が備えるアンテナの本数等によっても異なるため、本実施形態では、テーブル中のこれらの値を、実験や経験に基づき簡易的に定めている。このように、テーブルを用いて、電波強度及び周波数帯域に応じて通信速度を特定すると、実測によって通信速度を特定する場合よりも処理時間で短くできる。なお、第１無線ＬＡＮ中継装置１０は、予め定められた容量のデータを各無線ＬＡＮ中継装置２０〜４０に送信して、その送信完了までの時間を測定することにより、実測によって各無線ＬＡＮ中継装置２０〜４０までの通信速度を特定してもよい。この場合、壁や障害物等の無線ＬＡＮ中継装置の設置場所の周辺環境を考慮して通信速度が特定できる。なお、１つの周波数帯域でのみ通信可能な無線ＬＡＮ中継装置であっても、第１無線ＬＡＮ中継装置１０は、図５に示すテーブルを用いて、起点とする無線ＬＡＮ中継装置とその無線ＬＡＮ中継装置はとの間の通信速度を特定できる。
【００２４】
続いて、第１無線ＬＡＮ中継装置１０は、ステップＳ１２０（図４）において、ステップＳ１１０で特定した通信速度に応じて各中継元を選択する。本実施形態において、第１無線ＬＡＮ中継装置１０は、ステップＳ１１０で特定した通信速度が最も速くなる通信経路となる無線ＬＡＮ中継装置の中継元を選択する。中継元の選択の詳細については後述する。
【００２５】
最後に、第１無線ＬＡＮ中継装置１０は、ステップＳ１３０において、ネットワークシステム１００内の全ての無線ＬＡＮ中継装置の中継元を選択したか否か判定する。全ての中継元を選択した場合、中継元選択処理を終了する。一方、全ての中継元を選択していない場合、ステップＳ１１０の処理に戻る。つまり、全ての無線ＬＡＮ中継装置の中継元を選択するまで、ステップＳ１１０〜Ｓ１３０の処理を繰り返す。
【００２６】
図６、図７、図８、図９、図１０、図１１および図１２は、処理部１２０がそれぞれ通信速度に応じて各中継元を選択していく一例を順に示した図である。図６および図７に示すように、本実施形態において、起点装置は第１無線ＬＡＮ中継装置１０である。第１無線ＬＡＮ中継装置１０と第２無線ＬＡＮ中継装置２０との間における通信速度Ｖ１２は、１００Ｍｂｐｓであり、第１無線ＬＡＮ中継装置１０と第３無線ＬＡＮ中継装置３０との間における通信速度Ｖ１３は、３５０Ｍｂｐｓであり、第１無線ＬＡＮ中継装置１０と第４無線ＬＡＮ中継装置４０との間における通信速度Ｖ１４は、６００Ｍｂｐｓである。これらの通信速度は、図５に示したテーブルに基づき特定される。図７に示すように、各通信経路における通信速度Ｖ１２、Ｖ１３、Ｖ１４のうち最も速い通信速度は通信速度Ｖ１４であるため、まず、第４無線ＬＡＮ中継装置４０の中継元として第１無線ＬＡＮ中継装置１０が選択される。
【００２７】
次に、図８に示すように、中継元が確定された第４無線ＬＡＮ中継装置４０を介した場合の起点装置１０と各無線ＬＡＮ中継装置との間における通信速度が特定される。第４無線ＬＡＮ中継装置４０と第２無線ＬＡＮ中継装置２０との間における通信速度Ｖ２４は、２００Ｍｂｐｓであり、第４無線ＬＡＮ中継装置４０と第３無線ＬＡＮ中継装置３０との間における通信速度Ｖ３４は、４００Ｍｂｐｓである。
【００２８】
本実施形態において、使用される周波数帯域およびチャンネルが同一の無線ＬＡＮ中継装置間の通信速度と、使用される周波数帯域が異なる無線ＬＡＮ中継装置間の通信速度とは異なる計算方法で定められる。これにより、マスターである第１無線ＬＡＮ中継装置１０は、より実測値に近い通信速度を特定できる。例えば、使用される周波数帯域およびチャンネルが同一の場合は、次の式（１）で定められ、使用される周波数帯域が異なる場合は、次の式（２）で定められる。
【００２９】
Ｖａｃ ＝ Ｖａｂ × Ｖｂｃ ／ （Ｖａｂ ＋ Ｖｂｃ） …（１）
Ｖａｃ ＝ ｍｉｎ （Ｖａｂ ， Ｖｂｃ） …（２）
ここで、Ｖａｃは無線ＬＡＮ中継装置Ａと無線ＬＡＮ中継装置Ｃとの間の通信速度である。無線ＬＡＮ中継装置Ａと無線ＬＡＮ中継装置Ｃとは、無線ＬＡＮ中継装置Ｂを介して通信する。Ｖａｂは無線ＬＡＮ中継装置Ａと無線ＬＡＮ中継装置Ｂとの間の通信速度であり、Ｖｂｃは無線ＬＡＮ中継装置Ｂと無線ＬＡＮ中継装置Ｃとの間の通信速度であり、ｍｉｎは最小値を選択することを示す。
【００３０】
無線ＬＡＮ中継装置Ａ、Ｂ、Ｃが同一の周波数帯域およびチャンネルで通信を行う場合、無線ＬＡＮ中継装置Ａと無線ＬＡＮ中継装置Ｂとが通信を行う間、無線ＬＡＮ中継装置Ｂと無線ＬＡＮ中継装置Ｃとは通信を行うことができない。同様に、無線ＬＡＮ中継装置Ｂと無線ＬＡＮ中継装置Ｃとが通信を行う間、無線ＬＡＮ中継装置Ａと無線ＬＡＮ中継装置Ｂとは通信が行うことができない。そのため、無線ＬＡＮ中継装置Ｂは、無線ＬＡＮ中継装置Ａと無線ＬＡＮ中継装置Ｃとに対して時分割で動作する。従って、それぞれ無線ＬＡＮ中継装置Ａと無線ＬＡＮ中継装置Ｃとに待ち時間が発生し、通信するタイミングを調整して通信する必要があるため、通信速度が遅くなる。無線ＬＡＮ中継装置Ａ、Ｂ、Ｃで使用される周波数帯域が異なる場合、つまり、異なるチャンネルを使用する場合は、時間調整をする必要がないため、通信速度は遅くならない。しかし、無線ＬＡＮ中継装置Ｂが無線ＬＡＮ中継装置Ａと無線ＬＡＮ中継装置Ｃとを中継するため、ＶａｂとＶｂｃとの速度のうち、遅い方の通信速度が最高速度となる。式（１）によって通信速度が定められる原理をより具体的に説明する。一般的に、通信速度は、次の式（３）で求められる。
【００３１】
［通信速度］ ＝ ［伝送するデータ量］ ／ ［データ量の伝送完了にかかる時間］…（３）
従って、式（１）は式（３）を用いて次の式（４）で表すことができる。
【００３２】
Ｖａｃ ＝ Ｄ１ ／ Ｔａｃ
＝ Ｄ１ ／ （Ｄ１ ／ Ｖａｂ ＋ Ｄ１ ／ Ｖｂｃ） …（４）
ここでＤ１は伝送するデータ量であり、Ｔａｃはデータ量の伝送完了にかかる時間である。
【００３３】
図８および図９に示すように、第４無線ＬＡＮ中継装置４０を介した第１無線ＬＡＮ中継装置１０と第２無線ＬＡＮ中継装置２０との間における通信速度Ｖ１２４は、第１無線ＬＡＮ中継装置１０と第４無線ＬＡＮ中継装置４０とが５．０ＧＨｚの周波数帯域で通信を行い、第２無線ＬＡＮ中継装置２０と第４無線ＬＡＮ中継装置４０とが２．４ＧＨｚの周波数帯域で通信を行うため、上述した式（２）を用いて定める事ができ、通信速度Ｖ１４と通信速度Ｖ２４とのうち遅い方の速度である２００Ｍｂｐｓである。第４無線ＬＡＮ中継装置４０を介した第１無線ＬＡＮ中継装置１０と第３無線ＬＡＮ中継装置３０との間における通信速度Ｖ１３４は、第１無線ＬＡＮ中継装置１０と第３無線ＬＡＮ中継装置３０と第４無線ＬＡＮ中継装置４０とが同一の周波数帯域およびチャンネルで通信を行うため、上述した式（１）を用いて定めることができ、２４０Ｍｂｐｓである。図９に示すように、各通信経路における通信速度Ｖ１２、Ｖ１３、Ｖ１２４、Ｖ１３４のうち最も速い通信速度は通信速度Ｖ１３であるため、第３無線ＬＡＮ中継装置３０の中継元として第１無線ＬＡＮ中継装置１０が選択される。
【００３４】
最後に、図１０および図１１に示すように、中継元が確定された第３無線ＬＡＮ中継装置３０を介した場合の起点装置１０と各無線ＬＡＮ中継装置との間における通信速度が特定される。第３無線ＬＡＮ中継装置３０と第２無線ＬＡＮ中継装置２０との間における通信速度Ｖ２３は３００Ｍｂｐｓである。第３無線ＬＡＮ中継装置３０を介した第１無線ＬＡＮ中継装置１０と第２無線ＬＡＮ中継装置２０との間における通信速度Ｖ１２３は、第１無線ＬＡＮ中継装置１０と第３無線ＬＡＮ中継装置３０とが５．０ＧＨｚの周波数帯域で通信を行い、第２無線ＬＡＮ中継装置２０と第３無線ＬＡＮ中継装置３０とが２．４ＧＨｚの周波数帯域で通信を行うため、上述した式（２）を用いて定める事ができ、通信速度Ｖ１３と通信速度Ｖ２３とのうち遅い方の速度である３００Ｍｂｐｓである。図１１に示すように、各通信経路における通信速度Ｖ１２、Ｖ１２３、Ｖ１２４のうち最も速い通信速度は通信速度Ｖ１２３であるため、第２無線ＬＡＮ中継装置２０の中継元として第３無線ＬＡＮ中継装置３０が選択される。
【００３５】
図１２は、図１の状態から中継元を変更したネットワークシステム１００の構成の説明図である。図１に示したネットワーク構成では、全ての無線ＬＡＮ中継装置２０、３０、４０が第１無線ＬＡＮ中継装置１０に直接的に接続されていたが、図１２では、第２無線ＬＡＮ中継装置２０が第３無線ＬＡＮ中継装置３０を介して第１無線ＬＡＮ中継装置１０に接続されており、第４無線ＬＡＮ中継装置４０が第１無線ＬＡＮ中継装置１０に接続されている。各無線ＬＡＮ中継装置１０〜４０には、無線端末が接続可能である。このように、無線ＬＡＮ中継装置同士が相互に通信を行うことにより、網の目状に形成されたネットワークをメッシュネットワークという。
【００３６】
以上で説明した本実施形態によれば、マスター無線ＬＡＮ中継装置である第１無線ＬＡＮ中継装置１０は、通信速度に応じて無線ＬＡＮ中継装置２０〜４０の各中継元を選択するため、無線ＬＡＮ中継装置１０〜４０間の通信速度を向上させることができる。また、ゲートウェイ装置に接続された第１無線ＬＡＮ中継装置１０を起点とする無線ＬＡＮ中継装置に特定するため、外部のネットワークへ通信を行う場合の通信速度を特定できる。
【００３７】
Ｂ．第２実施形態：
図１３は、第２実施形態におけるネットワークシステム構成の概要を示す説明図である。本実施形態においてネットワークシステム１００は、新たな無線ＬＡＮ中継装置である第５無線ＬＡＮ中継装置５０が接続される点が第１実施形態と異なり、他の構成は同一である。また、第５無線ＬＡＮ中継装置５０の構成は、スレーブ無線ＬＡＮ中継装置として作動し、第１実施形態における無線ＬＡＮ中継装置２０〜４０の構成と同一である。
【００３８】
図１４は、接続先決定処理の一例を示したフローチャートである。接続先決定処理は、新たな無線ＬＡＮ中継装置がネットワークに接続する場合に実行される処理である。この処理は、新たな無線ＬＡＮ中継装置である第５無線ＬＡＮ中継装置５０の処理部１２０によって行われる。まず、第５無線ＬＡＮ中継装置５０の処理部１２０は、ステップＳ２００において、他の無線ＬＡＮ中継装置１０、２０、３０、４０から速度情報を取得する。「速度情報」とは、マスターである第１無線ＬＡＮ中継装置１０によって各無線ＬＡＮ中継装置に送信された、起点装置と無線ＬＡＮ中継装置との間の通信速度を含む情報である。本実施形態では、図３において説明したように、速度情報は、マスターからスレーブに送信される中継元情報に含まれている。速度情報は、中継元情報とは別にマスターからスレーブに送信されてもよい。各無線ＬＡＮ中継装置は、マスターから受信した速度情報を、例えばビーコンによって定期的に発信する。
【００３９】
次に、第５無線ＬＡＮ中継装置５０の処理部１２０は、ステップＳ２１０において、ステップＳ２００で各無線ＬＡＮ中継装置が発信した速度情報のうち、取得した各速度情報を用いて、起点装置１０と第５無線ＬＡＮ中継装置５０との間における通信速度を特定する。第５無線ＬＡＮ中継装置５０の処理部１２０は、取得した速度情報である、各無線ＬＡＮ中継装置の起点装置との間における通信速度と、図５に示したテーブルを用いて特定した自身と各無線ＬＡＮ中継装置との間における通信速度と、上述した式（１）および（２）とを用いて、起点装置１０と第５無線ＬＡＮ中継装置５０との間における通信速度を特定する。なお、ステップＳ２００において、取得出来なかった速度情報があったとしても、その速度情報は、第５無線ＬＡＮ中継装置５０と直接通信することができない無線ＬＡＮ中継装置の速度情報であるため、通信速度の特定において用いることができなくてもよい。
【００４０】
最後に、第５無線ＬＡＮ中継装置５０の処理部１２０は、ステップＳ２２０において、ステップＳ２１０で特定した通信速度に応じて中継元を決定する。本実施形態において、第５無線ＬＡＮ中継装置５０の処理部１２０は、ステップＳ２１０で特定した通信速度のうち、通信速度が最も速くなる無線ＬＡＮ中継装置を中継元として決定し、決定した中継元である無線ＬＡＮ中継装置に接続する。以上で説明した接続先決定処理が完了した後に、つまり、新たな無線ＬＡＮ中継装置である第５無線ＬＡＮ中継装置５０がネットワークシステム１００に接続した後に、マスターである第１無線ＬＡＮ中継装置１０は、図３において説明した中継元決定機能によって実現される処理を再度行ってもよい。こうすることにより、第５無線ＬＡＮ中継装置５０を含めて通信速度を特定し、各無線ＬＡＮ中継装置２０〜５０の中継元を変更させるため、各無線ＬＡＮ中継装置２０〜５０の通信速度を安定させることができる。
【００４１】
以上で説明した本実施形態によれば、新たな無線ＬＡＮ中継装置である第５無線ＬＡＮ中継装置５０の処理部１２０は、各無線ＬＡＮ中継装置１０〜４０が発信した速度情報のうち、取得した各速度情報を用いて、起点装置と新たな無線ＬＡＮ中継装置との間における通信速度を特定し、起点装置と新たな無線ＬＡＮ中継装置との間における通信速度に応じて選択した他の無線ＬＡＮ中継装置に接続する。そのため、無線ＬＡＮ中継装置間の通信速度を向上させることができる。また、マスター無線ＬＡＮ中継装置が各無線ＬＡＮ中継装置の通信経路を組み直す場合には、第５無線ＬＡＮ中継装置５０の中継元として、通信速度が最も速くなる無線ＬＡＮ中継装置に選択していた場合、中継元を変更する可能性が低いため、中継元を変更する無線ＬＡＮ中継装置の台数を抑制できる。
【００４２】
Ｃ．その他の実施形態：
（Ｃ１）上述した実施形態において、第１無線ＬＡＮ中継装置１０は、マスターとして動作するとともに、スレーブとしても作動してもよい。より具体的には、中継元決定機能に関して、マスターとして、他のスレーブに加えてスレーブとして作動する自分自身に動作を指示するとともに、スレーブとして、マスターとして作動する自分自身の指示に従って動作してもよい。例えば、第１無線ＬＡＮ中継装置１０は、マスターとして、自身に無線環境情報を取得するよう要請を行い、スレーブとして、他の無線ＬＡＮ中継装置の発信するビーコンから無線環境情報を取得する。こうすれば、各中継装置がマスターとしてもスレーブとしても作動することができるので、ネットワークの構築の自由度が高まる。
【００４３】
（Ｃ２）上述した実施形態において、ネットワークシステム１００は、起点装置を１つ備えているが、２つ以上備えていてもよい。この場合、マスター無線ＬＡＮ中継装置は、複数の起点装置と各無線ＬＡＮ中継装置との間の通信速度において、最も速い通信速度を、中継元を選択するために用いる通信速度として特定することが好ましい。
【００４４】
（Ｃ３）上述した実施形態において、通信速度は、周波数帯域におけるチャンネルの混雑度合いに応じて定められてもよい。混雑度合いは、同一チャンネルを使用している無線ＬＡＮ中継装置の数や、ＴＸＯＰ（Ｔｒａｎｓｍｉｓｓｉｏｎ  Ｏｐｐｏｒｔｕｎｉｔｙ（送信機会））をビーコンやプローブレスポンスから取得し、それらの値を用いて定める事ができる。通信速度は、例えば、一定期間におけるチャンネルの混雑度合いが大きい程、通信速度が遅くなるように定められた係数を、上述した式（１）または（２）で定められた通信速度に乗算して定められてもよい。この形態によれば、より実測値に近い通信速度を特定できる。
【００４５】
（Ｃ４）上述した実施形態において、マスター無線ＬＡＮ中継装置は、各無線ＬＡＮ中継装置が現在使用している周波数帯域に応じて通信速度を特定し、中継元を選択している。この代わりに、マスター無線ＬＡＮ中継装置は、各無線ＬＡＮ中継装置が使用可能な周波数帯域毎に起点装置との間の通信速度を特定し、その中で、例えば、最も通信速度が速くなる周波数帯域を、中継元とともに、使用する周波数帯域として選択してもよい。
【００４６】
（Ｃ５）上述した実施形態において、各無線ＬＡＮ中継装置は、ビーコンをスキャンして無線環境情報および速度情報を取得している。この代わりに、ネットワークが一旦構築された後であれば、各無線ＬＡＮ中継装置がプローブリクエストによって無線環境情報および速度情報を取得してもよい。また、ビーコンにＳＳＩＤ情報を含めないステルス機能を実行している無線ＬＡＮ中継装置がある場合には、各無線ＬＡＮ中継装置は、プローブリクエストによって無線環境情報および速度情報を取得する。プローブリクエストを受信した各無線ＬＡＮ中継装置は、プローブレスポンスにおいて無線環境情報および速度情報をプローブリクエストの送信元に送信する。
【００４７】
（Ｃ６）上述した第２実施形態において、マスター無線ＬＡＮ中継装置は、新たな無線ＬＡＮ中継装置が当該ネットワークシステムに接続した場合に、再度、図３において説明した中継元決定機能によって実現される処理を行っている。この代わりに、マスター無線ＬＡＮ中継装置は、スレーブ無線ＬＡＮ中継装置がネットワークシステム１００から切断された場合に、図３において説明した中継元決定機能によって実現される処理を再度行ってもよい。また、マスター無線ＬＡＮ中継装置は、新たな無線ＬＡＮ中継装置が当該ネットワークシステムに接続した場合と、スレーブ無線ＬＡＮ中継装置がネットワークシステム１００から切断された場合の、両方の場合において、図３において説明した中継元決定機能によって実現される処理を再度行ってもよい。また、例えば、一定期間毎や、無線ＬＡＮ中継装置の通信速度が閾値以下になった場合、無線ＬＡＮ中継装置に接続している通信機器の台数が閾値以上になった場合等の予め定められた条件を満たす場合に、再度中継元決定機能を実行するようにしてもよい。
【００４８】
本発明は、上述の実施形態に限られるものではなく、その趣旨を逸脱しない範囲において種々の構成で実現することができる。例えば発明の概要の欄に記載した各形態中の技術的特徴に対応する実施形態中の技術的特徴は、上述した課題を解決するために、あるいは上述の効果の一部又は全部を達成するために、適宜、差し替えや組み合わせを行うことが可能である。また、その技術的特徴が本明細書中に必須なものとして説明されていなければ、適宜削除することが可能である。
【符号の説明】
【００４９】
１０…第１無線ＬＡＮ中継装置、２０…第２無線ＬＡＮ中継装置、３０…第３無線ＬＡＮ中継装置、４０…第４無線ＬＡＮ中継装置、５０…第５無線ＬＡＮ中継装置、１００…ネットワークシステム、１１０…無線通信部、１２０…処理部、１３０…ＲＯＭ、１４０…有線ポート、ＩＮＴ…インターネット
【図１】
2020096240.tif 000003
【図２】
2020096240.tif 000004
【図３】
2020096240.tif 000005
【図４】
2020096240.tif 000006
【図５】
2020096240.tif 000007
【図６】
2020096240.tif 000008
【図７】
2020096240.tif 000009
【図８】
2020096240.tif 000010
【図９】
2020096240.tif 000011
【図１０】
2020096240.tif 000012
【図１１】
2020096240.tif 000013
【図１２】
2020096240.tif 000014
【図１３】
2020096240.tif 000015
【図１４】
2020096240.tif 000016